(57)【要約】【課題】天井裏の障害物に影響されないように、天井に確実に設置することが可能な照明装置を提供する。【解決手段】照明装置１００は、筐体１０と、筐体１０に収容される光源部１と、光源部１に固定された一対の板バネ２０とを備える。各板バネ２０は、光源部１に固定される固定部２１と、先端部２６と、固定部２１と先端部２６との間に設けられた屈曲部２４とを有する。筐体１０に光源部１が収容された状態において、屈曲部２４は、筺体１０の側壁１１，１２に設けられた取付孔１１ａ，１２ａに係止することによって光源部１を筺体１０に支持し、且つ、先端部２６は、筐体１０の側壁１１ａ，１２ａの内側に配置される。【選択図】図５
2014072136.tif 000002
【特許請求の範囲】
【請求項１】
筐体と、
前記筐体に収容される光源部と、
前記光源部に固定された一対の板バネとを備え、
各前記板バネは、前記光源部に固定される固定部と、先端部と、前記固定部と前記先端部との間に設けられた屈曲部とを有し、
前記筐体に前記光源部が収容された状態において、前記屈曲部は、前記筺体の側壁に設けられた被係止部に係止することによって前記光源部を前記筺体に支持し、且つ、前記先端部は、前記筐体の前記側壁の内側に配置される、照明装置。
【請求項２】
前記筐体は、前記光源部が挿入される開口部と、前記開口部に対向する頂壁とをさらに有し、
前記頂壁には、挿通部が形成され、
前記板バネの前記先端部は、前記筐体に前記光源部が収容された状態において前記挿通部に挿通される、請求項１に記載の照明装置。
【請求項３】
前記挿通部の周囲に設けられ、前記頂壁から前記筺体の外側へ突出するリブをさらに備える、請求項２に記載の照明装置。
【請求項４】
前記筐体は、前記光源部が挿入される開口部と、前記開口部に対向する頂壁をさらに有し、
前記側壁には、前記被係止部よりも前記頂壁側に配置され、前記板バネの前記先端部を前記頂壁の面方向に案内する斜面壁が形成されている、請求項１に記載の照明装置。
【請求項５】
前記板バネは、前記先端部と前記屈曲部との間の部分を形成する延在部を有し、
前記延在部は、前記屈曲部よりも容易に撓む、
請求項１から４までのいずれか１項に記載の照明装置。
【発明の詳細な説明】
【技術分野】
【０００１】
本発明は、一般的には照明装置に関し、特定的には天井に設置される照明装置に関する。
【背景技術】
【０００２】
天井に埋め込まれる筐体と、筐体に取り付けられる光源部と、光源部に取り付けられる光源とを備えた天井設置用の照明装置の一例として、特開平８−１３８４３１号公報（以下、特許文献１という）に記載された埋込形非常用照明器具が知られている。
【０００３】
特許文献１に記載された照明器具は、天井面に埋め込まれる筒状の器具本体と、器具本体の下面周縁を覆うように器具本体の下面周縁に着脱自在に取り付けられる下面枠と、下面枠において対称な位置に固定される一対の板バネとを備えている。光源としてのハロゲンランプは、下面枠に取り付けられる。
【０００４】
筒状の器具本体の側面には、相対向する一対の受穴が形成されている。各板バネの基部は、下面枠における対称な位置に固定される。器具本体の下面周縁に下面枠が取り付けられる場合には、各板バネの上部は、各受穴を通って器具本体の外側に延在する。各板バネには、受穴を押してなお外側に傾斜しようとする弾力性が付与されているため、この弾性力によって下面枠が筒状の器具本体に取り付けられた状態を維持することができる。
【０００５】
特許文献１に記載された照明器具によれば、器具本体の側面に形成された受穴から、側面の外側に板バネの先端部が配置されるため、器具本体の内部の下部における空間が比較的小さい場合でも、下面枠を器具本体に確実に着脱することができる。
【先行技術文献】
【特許文献】
【０００６】
【特許文献１】特開平８−１３８４３１号公報
【発明の概要】
【発明が解決しようとする課題】
【０００７】
しかしながら、特許文献１に記載された照明器具においては、板バネの先端部が、筒状の器具本体の側面の外側に突き出ることによって、器具本体の側面よりも外側に配置される。そのため、天井裏に設置された天井の補強材等が、板バネの先端部を干渉するため、当該照明器具が天井に完全に設置されないような事態が生じる。
【０００８】
そこで、本発明の目的は、天井裏の障害物に影響されないように、天井に確実に設置することが可能な照明装置を提供することである。
【課題を解決するための手段】
【０００９】
本発明に従った照明装置は、筐体と、筐体に収容される光源部と、光源部に固定された一対の板バネとを備える。各板バネは、光源部に固定される固定部と、先端部と、固定部と先端部との間に設けられた屈曲部とを有する。筐体に光源部が収容された状態において、屈曲部は、筺体の側壁に設けられた被係止部に係止することによって光源部を筺体に支持し、且つ、先端部は、筐体の前記側壁の内側に配置される。
【００１０】
本発明に従った照明装置においては、筐体に光源部が収容される場合には、各板バネの先端部が、筐体の側壁の内側に配置される。そのため、筐体に光源部が収容される場合に必要な板バネのバネ力が不足する程度に、板バネの先端部が筺体の側壁の外側に設置された補強材等によって干渉されるような事態は生じない。
【００１１】
このようにすることにより、天井裏の障害物に影響されないように、天井に確実に設置することが可能な照明装置を提供することができる。
【００１２】
本発明に従った照明装置において、筐体は、好ましくは、光源部が挿入される開口部と、開口部に対向する頂壁とをさらに有する。頂壁には、好ましくは、挿通部が形成されている。板バネの先端部は、筐体に光源部が収容された状態において挿通部に挿通される。
【００１３】
この構成によれば、当該照明装置を天井に設置する施工者は、筐体の開口部と、頂壁の挿通部とを通して、筐体の外部を視認することができるため、前もって障害物を容易に避けることができる。そのため、天井の裏の障害物に影響されないように、照明装置を天井に確実に設置することができる。
【００１４】
本発明に従った照明装置は、好ましくは、リブをさらに備える。リブは、好ましくは、挿通部の周囲に設けられ、頂壁から筺体の外側へ突出する。
【００１５】
この構成によれば、リブによって、筐体の外部に先端部が突出することができる高さを確保することができる。つまり、リブの大きさに応じて、筐体の外部に向かって頂壁から先端部を突出させることができる。
【００１６】
本発明に従った照明装置において、筐体は、好ましくは、光源部が挿入される開口部と、開口部に対向する頂壁をさらに有する。
側壁には、好ましくは、斜面壁が形成されている。斜面壁は、被係止部よりも頂壁の側に配置され、板バネの先端部を頂壁の面方向に案内する。
【００１７】
この構成によれば、斜面壁と頂壁とに沿って板バネの先端部が移動することによって、板バネの先端部を頂壁の面方向に案内することができる。
【００１８】
このように、この構成によれば、光源部を押し上げたときに板バネの先端部が頂壁に当接することによって光源部の移動が妨げられることを防止することができる。そのため、光源部を筺体側に収容する作業を容易に行うことができるため、照明装置を天井に容易に設置することができる。また、板バネの先端部を頂壁の面方向に案内することで板バネを筺体の内部に折り曲げて収容できるので、開口部と頂壁とを結ぶ方向に沿った筐体の寸法を縮小することができる。そのため、照明装置を小型化することができる。
【００１９】
本発明に従った照明装置において、板バネは、好ましくは、延在部を有する。延在部は、先端部と屈曲部との間の部分を形成する。延在部は、好ましくは、屈曲部よりも容易に撓む。
【００２０】
この構成によれば、一方斜面壁と頂壁とに沿って板バネの先端部が移動することによって、延在部を撓ませることができる。
【００２１】
好ましくは、延在部の断面は、筐体の内側に向かって凹むように、延在部が延びる方向と略直交する方向に沿って湾曲した形状を有している。延在部は、好ましくは、屈曲部よりも容易に撓む可撓性部材によって形成される。板バネにおいて、好ましくは、延在部の断面積は、先端部の断面積よりも小さい。
【００２２】
これらの構成によれば、一方斜面壁と頂壁とに沿って板バネの先端部が移動することによって、延在部を撓ませることができる。
【００２３】
本発明に従った照明装置において、好ましくは、筐体の一方側の側壁または他方側の側壁には、先端部が引っ掛けられることによって光源部を筐体に支持するための別の被係止部が形成されている。
【００２４】
この構成によれば、当該照明装置を天井に設置する施工者は、光源部を筐体に支持させる場合に、被係止部と別の被係止部とのいずれかを用いることができる。そのため、この構成によれば、作業性が向上する。
【００２５】
本発明に従った照明装置において、各板バネのうちのいずれかは、好ましくは、ヒンジ部を有する。ヒンジ部は、屈曲部と固定部との間に配置され、且つ、屈曲部と固定部とが離れる方向に屈曲部を固定部に対して回転させる。
【００２６】
この構成によれば、一対の板バネのうちの片方の板バネの先端部が筐体の被係止部に引っ掛けられることによって光源部が筐体に支持された状態において、板バネの屈曲部と固定部との間の部分を変形させる力が、屈曲部と固定部との間の部分に集中することを防ぐことができる。このように、この構成によれば、板バネの損傷を防止することができる。
【００２７】
本発明に従った照明装置において、筐体は、好ましくは、頂壁と開口部とをさらに有している。頂壁は、一方側の側壁と他方側の側壁とを接続する。開口部は、頂壁と対向する位置に形成されている。板バネは、好ましくは、延在部を有する。延在部は、先端部と屈曲部との間の部分を形成する。板バネにおいて、延在部は、好ましくは、延在部の長さを調整することが可能であるように構成されている。筐体に光源部が収容された状態において、好ましくは、板バネの先端部は頂壁に接触する。
【００２８】
この構成によれば、開口部から筐体の内部に向かって、板バネが固定された光源部が移動することによって、光源部が筐体に収容される。また、光源部が筐体に支持される場合には、光源部に掛かる重力等によって板バネの延在部の長さを延長させることによって、筐体と光源部との間の隙間を拡大することができる。そのため、この構成によれば、光源部が筐体に支持された状態における作業性を向上させることができる。一方、光源部が筐体に収容される場合には、板バネの先端部が頂壁に接触することによって、板バネの延在部の長さを縮小することができる。このように、この構成によれば、筐体を小型化し、且つ、当該照明装置を小型化することができる。
【発明の効果】
【００２９】
以上のように、本発明によれば、天井裏の障害物に影響されないように、天井に確実に設置することが可能な照明装置を提供することができる。
【図面の簡単な説明】
【００３０】
【図１】本発明に従った照明装置の一例の分解斜視図である。
【図２】本発明に従った照明装置に用いられる板バネの一例の斜視図である。
【図３】本発明の第１実施形態の照明装置の光源部の一部、筐体および板バネを断面で示す断面図であって、光源部に固定された板バネが筐体の側壁の被係止部に引っ掛けられることによって、光源部が筐体に支持された状態を概略的に示す図である。
【図４】本発明の第１実施形態の照明装置の光源部の一部、筐体および板バネを断面で示す断面図であって、光源部に固定された板バネが筐体の斜面壁と頂壁とに沿って移動する状態を概略的に示す図である。
【図５】本発明の第１実施形態の照明装置の光源部の一部、筐体および板バネを断面で示す断面図であって、光源部に固定された板バネの屈曲部が筐体の側壁の被係止部に係止されることによって、光源部が筐体に収容された状態を概略的に示す図である。
【図６】本発明の第１実施形態の照明装置に用いられる板バネの変形例の斜視図である。
【図７】本発明の第１実施形態の照明装置に用いられる板バネの別の変形例の斜視図である。
【図８】本発明の第２実施形態の照明装置の光源部の一部、筐体および板バネを断面で示す断面図であって、光源部に固定された板バネが筐体の側壁の被係止部に引っ掛けられることによって、光源部が筐体に支持された状態を概略的に示す図である。
【図９】本発明の第２実施形態の照明装置の光源部の一部、筐体および板バネを断面で示す断面図であって、光源部に固定された板バネが筐体の側壁に沿って移動する状態を概略的に示す図である。
【図１０】本発明の第２実施形態の照明装置の光源部の一部、筐体および板バネを断面で示す断面図であって、光源部に固定された板バネの屈曲部が筐体の側壁の被係止部に係止されることによって、光源部が筐体に収容された状態を概略的に示す図である。
【図１１】本発明の第２実施形態の照明装置の変形例の光源部の一部、筐体および板バネを断面で示す断面図であって、光源部に固定された板バネの屈曲部が筐体の側壁の被係止部に係止されることによって、光源部が筐体に収容された状態を概略的に示す図である。
【図１２】本発明の第２実施形態の照明装置の別の変形例の光源部の一部、筐体および板バネを断面で示す断面図であって、光源部に固定された板バネの屈曲部が筐体の側壁の被係止部に係止されることによって、光源部が筐体に収容された状態を概略的に示す図である。
【図１３】本発明の第３実施形態の照明装置の光源部の一部、筐体および板バネを断面で示す断面図であって、光源部に固定された板バネが筐体の側壁の被係止部に引っ掛けられることによって、光源部が筐体に支持された状態を概略的に示す図である。
【図１４】本発明の第３実施形態の照明装置に用いられる板バネの一例を示す斜視図であって、正面側から見た図と背面側から見た図である。
【図１５】本発明の第３実施形態の照明装置の光源部の一部、筐体および板バネを断面で示す断面図であって、光源部に固定された板バネが筐体の頂壁に接触する状態を概略的に示す図である。
【図１６】本発明の第３実施形態の照明装置の光源部の一部、筐体および板バネを断面で示す断面図であって、光源部に固定された板バネの屈曲部が筐体の側壁の被係止部に係止されることによって、光源部が筐体に収容された状態を概略的に示す図である。
【図１７】本発明の第３実施形態の照明装置に用いられる板バネの別の一例を示す斜視図であって、正面側から見た図と背面側から見た図である。
【図１８】本発明の第３実施形態の照明装置に用いられる板バネのさらに別の一例を示す斜視図であって、正面側から見た図と背面側から見た図である。
【図１９】本発明の第１〜３実施形態の照明装置に用いられる板バネの別の一例の斜視図であって、ヒンジ部が閉じられた状態を示す図である。
【図２０】本発明の第１〜３実施形態の照明装置に用いられる板バネの別の一例の斜視図であって、ヒンジ部が開かれた状態を示す図である。
【図２１】本発明に従った照明装置の光源部の一部および板バネの概略図であって、光源部への板バネの固定の変形例を示す図である。
【図２２】本発明に従った照明装置の光源部の一部および板バネの概略図であって、光源部への板バネの固定の別の変形例を示す図である。
【図２３】本発明に従った照明装置の筐体の一部および板バネの一部の概略図であって、別の被係止部に板バネの先端部が引っ掛けられる例を示す図である。
【発明を実施するための形態】
【００３１】
以下、本発明の実施の形態を図面に基づいて説明する。
【００３２】
（第１実施形態）
図１に、本発明に従った照明装置１００を示す。照明装置１００は、光源部１と、略直方体形状を有する筐体１０とを備えている。光源部１は、光源としての複数の発光ダイオードが取り付けられた電気部品（いずれも図示せず）と、フレーム３と、フレーム３に取り付けられた拡散パネル４とを含む。フレーム３と筐体１０とは、一定の長さと幅とを有している。フレーム３と筐体１０とは、金属材料によって形成されている。
【００３３】
光源部１には、複数の板バネ２０が取り付けられる。板バネ２０は、ステンレス鋼等の金属性の板材に折り曲げ加工を施すことによって成形される。図２に示すように、各板バネ２０は、固定部２１と、先端部２６と、屈曲部２４とを有している。固定部２１は、平板形状を有している。固定部２１に連続するように、下延部２２が固定部２１から折り曲げられている。
【００３４】
下延部２２は、固定部２１の平面が延びる方向と略直交する平面を有する。下延部２２は、折り返し部２７に連続する。さらに、折り返し部２７は、上延部２３に連続する。折り返し部２７においては、下延部２２と上延部２３とが対向するように、上記板材が略Ｕ字状に折り曲げられる。固定部２１には、ねじ固定等の締結方法に応じた孔等が設けられる（図示せず）。
【００３５】
上延部２３は、屈曲部２４に連続する。屈曲部２４は、さらに延在部２５に連続する。屈曲部２４は、上延部２３の平面が延びる方向と延在部２５の平面が延びる方向とが略平行な方向であるように、上延部２３と延在部２５との間において上記板材が略Ｕ字状に折り曲げられた部分である。屈曲部２４は、下延部２２の平面が延びる方向に対して、固定部２１の反対側に突出している。
【００３６】
延在部２５は、先端部２６に連続する。延在部２５に対して、屈曲部２４が突出する側に向かって先端部２６が突出するように、上記板材の端部が折り曲げられることによって、先端部２６が形成される。なお、延在部２５と先端部２６との境目を形成する上記板材の折り目の部分は、後述するように、板バネ２０の上端２０ａである。
【００３７】
図３に示すように、光源部１は、フレームケース２を有する。フレームケース２は、フレーム３の上面に固定されている。フレームケース２には、発光ダイオードと電気回路とを含む電気部品と、光を反射させるシート部材（いずれも図示せず）とが収容される。
【００３８】
板バネ２０の固定部２１がフレームケース２に固定されることによって、板バネ２０が光源部１に固定される。板バネ２０の固定部２１とフレームケース２との固定には、ネジもしくはボルト等の固定具５が用いられる。なお、図示されていないが、固定部２１とフレームケース２との間に位置し、且つ、固定部２１を載せる土台等が、フレームケース２の上面に設置されていてもよい。
【００３９】
一対の板バネ２０が、フレーム３の幅方向に対向するようにフレームケース２に固定される。フレーム３の長手方向に沿った略同一の位置において、一対の板バネ２０が光源部１に固定される。図１に示すように、フレーム３の長手方向に沿ってそれぞれ所定の間隔をあけて、複数の板バネ２０がフレームケース２を介してフレーム３に固定される。
【００４０】
なお、フレーム３の幅方向とは、図３の左右方向をいう。一方、フレーム３の長手方向とは、フレーム３の幅方向と直交する方向である。フレーム３および筐体１０において、長手方向の寸法は、幅方向の寸法よりも大きい。
【００４１】
なお、図示されていないが、フレーム３には、スピーカ、非常灯、煙探知器、スプリンクラー、または、照度センサ等の天井設備機器が取り付けられていてもよい。
【００４２】
図３は、光源部１に固定された板バネ２０が筐体１０の被係止部としての取付孔１１ａ，１２ａに引っ掛けられることによって、光源部１が筐体１０に支持された状態を概略的に示す図である。図３に示すように、筐体１０は、互いに対向する一方側の側壁１１および他方側の側壁１２を有する。側壁１１および側壁１２には、板バネ２０の先端部２６と屈曲部２４とが係止する被係止部としての取付孔１１ａ，１２ａが形成されている。板バネ２０の先端部２６が取付孔１１ａ，１２ａに引っ掛けられることによって光源部１を筐体１０から垂下した状態で支持し、光源部１を筐体１に仮止めすることができる。また、光源部１を筺体１０に収容した状態で屈曲部２４が取付孔１１ａ，１２ａに係止することによって光源部１を筐体１０に支持することができる。取付孔１１ａと取付孔１２ａとは、被係止部の一例である。
【００４３】
また、筐体１０は、光源部１が挿入される開口部１４と、頂壁１３とを有している。頂壁１３は、側壁１１と側壁１２とを接続する。開口部１４は、頂壁１３と対向する位置に形成される。頂壁１３は、側壁１１と側壁１２との間において側壁１１および側壁１２が延びる方向と略直交する方向に延びる。
【００４４】
筐体１０は、室内の天井９に設けられた開口から天井９の裏側に挿入されて設置される。開口部１４が室内の床面つまり鉛直下方に面するように、筐体１０は天井９に設置される。筐体１０の頂壁１３に形成された図示しない開口を通じて、電源用と調光用等の電気配線（いずれも図示せず）が、筐体１０の外部から内部に引き込まれる。配線の端子は、筐体１０の天面１０ａに取り付けられる。光源部１が取り付けられたフレーム３は、開口部１４を覆うように、筐体１０に取り付けられる。つまり、施工者は、室内の床面から天井に向かって、フレーム３および光源部１を持ち上げることによって光源部１を筐体１０に取り付ける。
【００４５】
側壁１１には、開口部１４から頂壁１３に向かう方向且つ側壁１１から側壁１２に向かう方向に延びる一方側の斜面壁１５が形成されている。側壁１２には、開口部１４から頂壁１３に向かう方向且つ側壁１２から側壁１１に向かう方向に延びる他方側の斜面壁１６が形成されている。
【００４６】
施工者は、筐体１０に光源部１が取り付けられる場合に、各板バネ２０の先端部２６を取付孔１１ａ，１２ａに引っ掛けることによって、筐体１０に光源部１を支持させる。図３に示すように、光源部１が筐体１０に支持された状態においては、筐体１０の開口部１４と光源部１の上端との間に隙間が形成されるため、施工者は、この隙間から筐体１０の内部の空間に手を入れることによって、各配線等の接続を実施することができる。
【００４７】
なお、図示されていないが、施工者は、側壁１１と側壁１２とのうち、いずれかの開口（つまり、取付孔１１ａまたは取付孔１２ａ）に、板バネ２０の先端部２６を引っ掛けるように、光源部１の幅方向の片方のみの板バネ２０を筐体１０に支持させることによって、各配線の接続等を実施することができる。
【００４８】
各配線等の接続が完了した後には、フレーム３および光源部１を上方に移動させることによって、板バネ２０の先端部２６の上面が取付孔１１ａ，１２ａの上縁に接触しながら板バネ２０が取付孔１１ａ，１２ａから離れる。施工者が光源部１をさらに上方に持ち上げることによって、板バネ２０の先端２６ａが側壁１１，１２に接触しながら光源部１が上方に移動する。
【００４９】
施工者が光源部１をさらにまた上方に持ち上げることによって、光源部１が開口部１４から筐体１０の内部の空間に移動する。光源部１がさらにまた上方に持ち上げられることによって、板バネ２０の先端２６ａ（図２参照）が斜面壁１５，１６に接触しながら光源部１が上方に移動する。このとき、板バネ２０において特に延在部２５が筐体１０の内側に向かって撓むことによって、先端部２６が筐体１０の内側に移動する。
【００５０】
図４は、板バネ２０が筐体１０の斜面壁１５，１６と頂壁１３とに沿って移動する状態を概略的に示す図である。図４に示すように、光源部１が上方に移動するにしたがって、板バネ２０の上端２０ａが頂壁１３に接触し、または、先端２６ａが斜面壁１５，１６に接触する。また、光源部１が上方に移動するにしたがって、板バネ２０の屈曲部２４が側壁１１，１２に接触する。このとき、板バネ２０のバネ力によって、斜面壁１５，１６を先端部２６が押す力、または、頂壁１３を上端２０ａが押す力が板バネ２０に発生する。バネ力に勝る力で施工者が光源部１をさらに上方に移動させることによって、板バネ２０は、斜面壁１５，１６に接触しながら上方に移動する。先端部２６が傾斜壁１５，１６の面を摺動することによって、先端部２６は頂壁１３が延びる方向に案内される。屈曲部２４が側壁１１，１２を押圧しながら、板バネ２０が上方に移動する。また、バネ力に勝る力で施工者が光源部１を上方に移動させることによって、板バネ２０は、頂壁１３に接触しながら筐体１０の内側に向かって撓む。
【００５１】
図５は、板バネ２０の屈曲部２４が取付孔１１ａ，１２ａに嵌め込まれることによって、光源部１が筐体１０に収容されるとともに筺体１０に支持された状態を概略的に示す図である。図５に示すように、施工者が、フレーム３の縁の上面３ａが筐体１０の縁の下面１０ｂに接触する位置にまで光源部１を上方に移動させることによって、光源部１が筐体１０の内部の空間に収容される。
【００５２】
光源部１が筐体１０の内部の空間に収容された状態において、屈曲部２４は、光源部１が筐体１０に支持されるように筐体１０の取付孔１１ａ，１２ａに嵌められる。言い換えると、屈曲部２４が筐体１０の取付孔１１ａ，１２ａに嵌められることによって、光源部１が筐体１０に支持されたうえで、光源部１が筐体１０に収容される。屈曲部２４が取付孔１１ａ，１２ａに嵌められることによって、板バネ２０には、取付孔１１ａ，１２ａの上側の縁および下側の縁を屈曲部２４が押圧するバネ力が発生する。このようなバネ力によって、板バネ２０が固定された光源部１は、筐体１０に支持されたうえで、筐体１０に収容される。
【００５３】
このようにして、光源部１は、開口部１４から筐体１０の内部の空間に移動することによって、筐体１０に収容される。筐体１０に光源部１が収容された状態において、各板バネ２０の先端部２６は、筐体１０の側壁１１および側壁１２の内側に配置される。また、筐体１０に光源部１が収容された状態において、各板バネ２０の先端２６ａは、天面１０ａに接触する。
【００５４】
以上のように、照明装置１００においては、筐体１０に光源部１が収容される場合には、各板バネ２０の先端部２６が、筐体１０の側壁１１および側壁１２の内側に配置される。そのため、筐体１０に光源部１が収容される場合に必要な板バネ２０のバネ力が不足する程度に、板バネ２０の先端部２６が筺体１０の側壁１１，１２の外側に設置された補強材等によって干渉されるような事態は生じない。
【００５５】
このようにすることにより、天井９の裏の障害物に影響されないように、天井９に確実に設置することが可能な照明装置１００を提供することができる。
【００５６】
また、開口部１４から筐体１０の内部に向かって、板バネ２０が固定された光源部１が移動することによって、光源部１が筐体１０に収容される。斜面壁１５と頂壁１３とに沿って板バネ２０の先端部２６が移動することによって、一方側から他方側に向かって、板バネ２０の先端部２６を頂壁１３の面方向に案内することができる。
【００５７】
このように、この構成によれば、光源部１を押し上げたときに板バネ２０の先端部２６が頂壁１３に当接することによって光源部１の移動が妨げられることを防止することができる。そのため、光源部１を筺体１０側に収容する作業を容易に行うことができるため、照明装置１００を天井に容易に設置することができる。また、板バネ２０の先端部２６を頂壁１３の面方向に案内することで板バネを筺体１０の内部に折り曲げて収容できるので、開口部１４と頂壁１３とを結ぶ方向に沿った筐体１０の寸法を縮小することができる。そのため、照明装置１００を小型化することができる。
【００５８】
なお、筐体１０において、斜面壁１５の下面と斜面壁１６の下面とは、図３に示す平面状の形状を有することに限定されず、頂壁１３に向かって突出するように、湾曲していてもよい。なお、被係止部は、筐体１０を貫通した孔に限らず、側壁１１，１２に設けられた凹部等であってもよい。
【００５９】
なお、照明装置１００に用いられる各板バネは、図２に示す板バネ２０に限定されない。図６には、板バネ２０の変形例の板バネ３０を示す。また、図７には、板バネ２０の別の変形例の板バネ４０を示す。
【００６０】
図６に示すように、板バネ３０は、固定部３１と、先端部３６と、屈曲部３４とを有している。固定部３１は、平板形状を有している。固定部３１に連続するように、下延部３２が固定部３１から折り曲げられている。
【００６１】
下延部３２は、固定部３１の平面が延びる方向と略直交する平面を有する。下延部３２は、折り返し部３７に連続する。さらに、折り返し部３７は、上延部３３に連続する。折り返し部３７においては、下延部３２と上延部３３とが対向するように、上記板材が略Ｕ字状に折り曲げられる。
【００６２】
上延部３３は、屈曲部３４に連続する。屈曲部３４は、さらに延在部３５に連続する。屈曲部３４は、上延部３３の平面が延びる方向と延在部３５の平面が延びる方向とが略平行な方向であるように、上延部３３と延在部３５との間において上記板材が略Ｕ字状に折り曲げられた部分である。屈曲部３４は、下延部３２の平面が延びる方向に対して、固定部３１の反対側に突出している。
【００６３】
延在部３５は、先端部３６に連続する。延在部３５に対して、屈曲部３４が突出する側に向かって先端部３６が突出するように、上記板材の端部が折り曲げられることによって、先端部３６が形成される。なお、延在部３５と先端部３６との境目を形成する上記板材の折り目の部分は、板バネ３０の上端３０ａである。筐体１０（図５参照）に光源部１（図５参照）が収容された状態においては、各板バネ３０の先端３６ａが天面１０ａ（図５参照）に接触する。
【００６４】
延在部３５は、筐体１０（図３参照）の内側に向かって凹むように、延在部３５が延びる方向と略直交する方向に沿って湾曲した形状を有する湾曲部３５ａを含む。このように、板バネ３０において、延在部３５の湾曲部３５ａの断面は、筐体１０（図３参照）の内側に向かって凹むように、延在部３５が延びる方向と略直交する方向に沿って湾曲した形状を有している。
【００６５】
図７に示すように、板バネ４０は、固定部４１と、先端部４６と、屈曲部４４とを有している。固定部４１は、平板形状を有している。固定部４１に連続するように、下延部４２が固定部４１から折り曲げられている。
【００６６】
下延部４２は、固定部４１の平面が延びる方向と略直交する平面を有する。下延部４２は、折り返し部４７に連続する。さらに、折り返し部４７は、上延部４３に連続する。折り返し部４７においては、下延部４２と上延部４３とが対向するように、上記板材が略Ｕ字状に折り曲げられる。
【００６７】
上延部４３は、屈曲部４４に連続する。屈曲部４４は、さらに延在部４５に連続する。屈曲部４４は、上延部４３の平面が延びる方向と延在部４５の平面が延びる方向とが略平行な方向であるように、上延部４３と延在部４５との間において上記板材が略Ｕ字状に折り曲げられた部分である。屈曲部４４は、下延部４２の平面が延びる方向に対して、固定部４１の反対側に突出している。
【００６８】
延在部４５は、先端部４６に連続する。延在部４５に対して、屈曲部４４が突出する側に向かって先端部４６が突出するように、上記板材の端部が折り曲げられることによって、先端部４６が形成される。なお、延在部４５と先端部４６との境目を形成する上記板材の折り目の部分は、板バネ４０の上端４０ａである。筐体１０（図５参照）に光源部１（図５参照）が収容された状態においては、各板バネ４０の先端４６ａが天面１０ａ（図５参照）に接触する。
【００６９】
延在部４５は、屈曲部４４よりも容易に撓むワイヤによって形成されるワイヤ部４５ａを含む。このように、板バネ４０において、延在部４５のワイヤ部４５ａは、屈曲部４４よりも容易に撓む可撓性部材によって形成される。
【００７０】
これら板バネ３０，４０の構成によれば、斜面壁１５（図４参照）と頂壁１３（図４参照）とに沿って板バネ３０，４０の先端部３６，４６が移動することによって、斜面壁１５から斜面壁１６に向かって湾曲部３５ａまたはワイヤ部４５ａを撓ませることができる。また、斜面壁１６と頂壁１３とに沿って板バネ３０，４０の先端部３６，４６が移動することによって、斜面壁１６から斜面壁１５に向かって湾曲部３５ａまたはワイヤ部４５ａを撓ませることができる。
【００７１】
板バネ２０（図２参照）の変形例として、照明装置１００（図４参照）には、延在部の断面積が先端部の断面積よりも小さい板バネが用いられていてもよい。
【００７２】
この構成によれば、延在部の断面積が先端部の断面積よりも小さい板バネの先端部が斜面壁１５と頂壁１３（いずれも図４参照）とに沿って移動することによって、一方側から他方側に向かって延在部を容易に撓ませることができる。また、延在部の断面積が先端部の断面積よりも小さい板バネの先端部が斜面壁１５と頂壁１３とに沿って移動することによって、他方側から一方側に向かって延在部を容易に撓ませることができる。
【００７３】
以上のように板バネの延在部を屈曲部よりも容易に撓むように構成する、つまり延在部の弾性力を屈曲部の弾性力よりも小さくすることで、光源部１を筺体１０側に押し上げるときに、より小さい力で延在部を屈曲させることができるので、取り付け作業が容易になる。また、光源部１を筺体１０に収容した状態において、板バネの先端部は頂壁１３に当接するので、板バネの弾性力により光源部１を下方（開口部１４側）に押す力が作用しているが、延在部の弾性力を屈曲部の弾性力よりも小さくすることで上記下方に押す力を弱めることができるので、より安定して光源部１の筺体１０への支持状態を維持させることができる。
【００７４】
なお、照明装置１００において、一対の板バネ２０は、フレーム３の長手方向に沿って、それぞれ異なる位置に固定されていてもよく、フレーム３の短辺側に固定されていてもよい。
【００７５】
なお、照明装置１００において、筐体１０の頂壁１３は、ドーム状に膨らんでいてもよい。
【００７６】
（第２実施形態）
以下において、本発明の第２実施形態の照明装置２００について説明する。図８〜１０に、本発明の第２実施形態の照明装置２００を示す。なお、以下において、第１実施形態の照明装置１００（図１参照）の構成と同一の構成には同符号を付し、その説明を省略する。
【００７７】
図８は、光源部１に固定された板バネ２０が筐体１１０の取付孔１１１ａ，１１２ａに引っ掛けられることによって、光源部１が筐体１１０に支持された状態を概略的に示す図である。
【００７８】
第１実施形態の照明装置１００の筺体１０と異なり、筐体１１０の頂壁１１３には、挿通部１１５，１１６が形成されている。
【００７９】
図８に示す状態において光源部１に対する各配線等の接続が完了した後には、フレーム３および光源部１を上方に移動させることによって、板バネ２０の先端部２６の上面が取付孔１１１ａ，１１２ａの上縁に接触しながら板バネ２０が取付孔１１１ａ，１１２ａから離れる。施工者が光源部１をさらに上方に持ち上げることによって、板バネ２０の先端２６ａが側壁１１１，１１２に接触しながら光源部１が上方に移動する。
【００８０】
施工者が光源部１をさらに上方に持ち上げることによって、光源部１が開口部１１４から筐体１１０の内部の空間に移動する。また、光源部１がさらに上方に持ち上げられることによって、板バネ２０の先端部２６の上面が挿通部１１５，１１６の縁に接触しながら光源部１が上方に移動する。
【００８１】
図９は、板バネ２０が筐体１１０の側壁１１１，１１２に沿って移動する状態を概略的に示す図である。先端２６ａが側壁１１１，１１２に接触しながら光源部１が上方に移動することによって、図９に示すように、板バネ２０の上端２０ａは、挿通部１１５，１１６を挿通して頂壁１１３の上方に突出する。また、光源部１が上方に移動するにしたがって、板バネ２０の屈曲部２４が側壁１１１，１１２に接触する。このとき、板バネ２０のバネ力によって、挿通部１１５，１１６の縁を先端部２６が押す力、または、側壁１１１，１１２を先端２６ａが押す力が板バネ２０に発生する。バネ力に勝る力で施工者が光源部１を上方に移動させることによって、板バネ２０は、挿通部１１５，１１６の縁に接触しながら挿通部１１５，１１６を通って筐体１１０の上方に突出する。
【００８２】
図１０は、板バネ２０の屈曲部２４が取付孔１１１ａ，１１２ａに嵌め込まれることによって、光源部１が筐体１１０に収容された状態を概略的に示す図である。図１０に示すように、施工者が、フレーム３の縁の上面３ａが筐体１１０の縁の下面１１０ｂに接触する位置にまで光源部１を上方に移動させることによって、光源部１が筐体１１０の内部の空間に収容される。
【００８３】
光源部１が筐体１１０の内部の空間に収容された状態において、屈曲部２４は、光源部１が筐体１１０に支持されるように筐体１１０の取付孔１１１ａ，１１２ａに嵌められる。言い換えると、屈曲部２４が筐体１１０の取付孔１１１ａ，１１２ａに嵌められることによって、光源部１が筐体１１０に支持されたうえで、光源部１が筐体１１０に収容される。このようにして、光源部１は、開口部１１４から筐体１１０の内部の空間に移動することによって、筐体１１０に収容される。筐体１１０に光源部１が収容された状態において、各板バネ２０の先端部２６は、筐体１１０の側壁１１１および側壁１１２の内側に配置される。また、筐体１１０に光源部１が収容された状態において、各板バネ２０の先端部２６は、挿通部１１５，１１６から突出する。
【００８４】
以上のように構成された第２実施形態の照明装置２００は、天井９の裏の側壁１１１、１１２の側方に位置する障害物に影響されないように、天井９に確実に設置することができる。
【００８５】
第２実施形態の照明装置２００において、頂壁１１３には挿通部１１５，１１６が形成されている。筐体１１０に光源部１が収容された状態において、板バネ２０の先端部２６は、挿通部１１５，１１６から突出する。
【００８６】
この構成によれば、板バネ２０の先端部２６は、頂壁１１３に当接せず、挿通部１１５，１１６から筺体１１０の外部に突出するので、第１実施形態の照明装置１００の板バネ２０のように光源部１を下方に押す力を生じさせないので、より安定的に光源部１の筺体１１０への支持状態を維持することができる。また、照明装置２００を天井９に設置する施工者は、筐体１１０の開口部１１４と、頂壁１１３の挿通部１１５，１１６とを通して、筐体１１０の外部の障害物が確認できるため、前もって障害物を容易に避けることができる。そのため、天井９の裏の障害物に影響されないように、照明装置２００を天井９に確実に設置することができる。
【００８７】
なお、本実施形態の挿通部は、挿通部１１５，１１６のような頂壁１１３を貫通した孔に限定されず、頂壁１３に設けられ先端部２６を挿通することが可能な凹部であってもよい。
【００８８】
なお、照明装置２００において、一対の板バネ２０は、フレーム３の長手方向に沿って、それぞれ異なる位置に固定されていてもよい。
【００８９】
なお、第２実施形態の照明装置２００において、筐体１１０の構成は、図８〜１０に示すものに限定されない。図１１には、第２実施形態の照明装置２００の変形例の照明装置２００ａを示す。また、図１２には、第２実施形態の照明装置２００の別の変形例の照明装置２００ｂを示す。
【００９０】
図１１に示すように、照明装置２００ａにおいて、頂壁１１３ａには、挿通部１１５および挿通部１１６の周囲に設けられたリブ１１７とリブ１１８とが形成されている。照明装置２００ａにおける側壁１１１，１１２の高さ（筐体１１０の高さ）は、照明装置２００（図１０参照）における側壁１１１，１１２の高さよりも高い。照明装置２００ａの他の構成は、照明装置２００と同様である。
【００９１】
このように、照明装置２００ａにおいては、筐体１１０に光源部１が収容される場合には、筐体１１０の側壁１１１および側壁１１２の内側に各板バネ２０の先端部２６が配置され、且つ、各板バネ２０の上端２０ａがリブ１１７，１１８の下方に配置される。そのため、板バネ２０の先端部２６が天井９の裏に設置された補強材等によって干渉されるような事態は生じない。
【００９２】
なお、リブ１１７，１１８の形状は、挿通部１１５，１１６の全体を覆うように、ドーム形状を有していてもよい。
【００９３】
なお、照明装置２００ａにおいて、挿通部１１５，１１６の位置は、照明装置２００（図１０参照）における挿通部１１５，１１６よりも筐体１１０の中央側の位置に配置されていてもよい。さらに、照明装置２００ａの筐体１１０に光源部１が収容される状態において、板バネ２０は、筐体１１０の内側に撓みつつ、先端部２６が挿通部１１５，１１６から突出していてもよい。
【００９４】
図１２に示すように、照明装置２００ｂにおいて、頂壁１１３ｂには、板バネ２０の先端部２６を突出させるための孔が形成されておらず、光源部１が筐体１１０に収容される状態において、板バネ２０の上端２０ａは、筐体１１０の天面１１０ａの下方に配置される。また、光源部１が筐体１１０に収容される状態において、板バネ２０の先端部２６は、筐体１１０の側壁１１１および側壁１１２の内側に配置される。
【００９５】
照明装置２００ｂにおける側壁１１１，１１２の高さ（筐体１１０の高さ）は、照明装置２００（図１０参照）における側壁１１１，１１２の高さよりも高い。照明装置２００ｂの他の構成は、照明装置２００と同様である。
【００９６】
このように、照明装置２００ｂにおいては、筐体１１０に光源部１が収容される場合には、筐体１１０の側壁１１１および側壁１１２の内側に各板バネ２０の先端部２６が配置され、且つ、各板バネ２０の上端２０ａが筐体１１０の天面１１０ａの下方に配置される。そのため、板バネ２０の先端部２６が天井９の裏に設置された補強材等によって干渉されるような事態は生じない。
【００９７】
（第３実施形態）
以下において、本発明の第３実施形態の照明装置３００について説明する。図１３に、本発明の第３実施形態の照明装置３００を示す。なお、以下において、第１実施形態の照明装置１００（図１参照）の構成と同一の構成には同符号を付し、その説明を省略する。
【００９８】
以下に説明するように、第３実施形態の照明装置３００が第１実施形態の照明装置１００と異なる点は、第３実施形態の照明装置３００に用いられる板バネ５０の構成が、第１実施形態の照明装置１００に用いられる板バネ２０，３０，４０の構成と異なっている。
【００９９】
図１３は、光源部１に固定された板バネ５０が筐体２１０の開口２１１ａ，２１２ａに引っ掛けられることによって、光源部１が筐体２１０に支持された状態を概略的に示す図である。図１３に示すように、筐体２１０は、互いに対向する一方側の側壁２１１および他方側の側壁２１２を有する。筐体２１０は、一定の長さと幅とを有し、且つ、略直方体形状を有する。筐体２１０において、長手方向の寸法は、幅方向（言い換えると、図１３の左右方向）の寸法よりも大きい。
【０１００】
一対の板バネ５０が、フレーム３の幅方向（図１３の左右方向）に対向するようにフレームケース２に固定される。フレーム３の長手方向に沿った略同一の位置において、一対の板バネ５０が光源部１に固定される。フレーム３の長手方向に沿ってそれぞれ所定の間隔をあけて、複数の板バネ５０がフレームケース２を介してフレーム３に固定される。
【０１０１】
光源部１には、スライド式の機構を有する複数の板バネ５０が取り付けられる。図１４は、照明装置３００に用いられる板バネ５０の斜視図であって、板バネ５０の基部５ａと対向する面から板バネ５０を見た図と、板バネ５０のスライド部５ｂと対向する面から板バネ５０を見た図とを示す。
【０１０２】
図１４に示すように、板バネ５０は、ステンレス鋼等の金属性の板材に打ち出し加工および折り曲げ加工を施すことによって成形された基部５ａと、所定の形状に切り出された板材に折り曲げ加工を施すことによって成形されたスライド部５ｂとを含む。
【０１０３】
図１３に示すように、板バネ５０は、固定部５１と下延部５２と折り返し部５７と上延部５３と屈曲部５４と延在部５５と先端部５６とを有している。なお、基部５ａ（図１４参照）における固定部５１から延在部５５ａに至る構成は、板バネ２０（図２参照）における固定部２１から延在部２５に至る構成と同様である。
【０１０４】
図１４に示すように、基部５ａにおける延在部５５ａの中央部には、延在部５５ａが延びる方向に沿って、リブ５ｄが形成されている。リブ５ｄの打ち出しによって、延在部５５ａの中央部に開口５ｃが形成される。
【０１０５】
スライド部５ｂは、延在部５５ｂと先端部５６とを含む。板バネ５０の延在部５５は、基部５ａにおける延在部５５ａと、スライド部５ｂにおける先端部５６よりも下方の部分の延在部５５ｂとを含むように、基部５ａとスライド部５ｂとによって構成される。延在部５５ｂに対して、屈曲部５４（図１３参照）が突出する側に向かって先端部５６が突出するように、スライド部５ｂの端部が折り曲げられることによって、先端部５６が形成される。なお、延在部５５ｂと先端部５６との境目を形成するスライド部５ｂの折り目の部分は、板バネ５０の上端５０ａである。
【０１０６】
スライド部５ｂの腕部５ｅが基部５ａの開口５ｃの縁に巻きつくように、スライド部５ｂが基部５ａに取り付けられる。基部５ａの平面とスライド部５ｂの平面とが略同一方向に延びるように、基部５ａとスライド部５ｂとが合体する。さらに、スライド部５ｂの腕部５ｅの下端をリブ５ｄの下端が支持することができるように、リブ５ｄが基部５ａからスライド部５ｂに向かって折り曲げられる。
【０１０７】
基部５ａのリブ５ｄと平面との間を、基部５ａの平面に沿ってスライド部５ｂの腕部５ｅが摺動することによって、延在部５５の長さが変化する。このようにして、板バネ５０において、延在部５５は、延在部５５の長さを調整することが可能であるように構成されている。なお、板バネ５０を製造する方法は、上述のものに限定されず、図１４に図示されるような形状を有する板バネ５０を製造する方法であればよい。
【０１０８】
図１３に示すように、側壁２１１および側壁２１２には、板バネ５０の先端部５６が引っ掛けられることによって光源部１を筐体２１０に支持し、且つ、板バネ５０の屈曲部５４が嵌められることによって光源部１を筐体２１０に収容するための開口２１１ａ，２１２ａが形成されている。開口２１１ａと開口２１２ａとは、被係止部の一例である。
【０１０９】
板バネ５０の先端部５６は、光源部１が筐体２１０に支持されるように筐体２１０の側壁２１１，２１２に形成された開口２１１ａ，２１２ａに引っ掛けられる。屈曲部５４は、先端部５６と固定部５１との間に位置し、且つ、後述するように光源部１が筐体２１０に支持されるように筐体２１０に嵌められる。
【０１１０】
また、筐体２１０は、頂壁２１３と開口部２１４とを有している。頂壁２１３は、側壁２１１と側壁２１２とを接続する。開口部２１４は、頂壁２１３と対向する位置に形成される。頂壁２１３は、側壁２１１と側壁２１２との間において側壁２１１および側壁２１２が延びる方向と略直交する方向に延びる。頂壁２１３には、板バネ５０の先端部５６を突出させるための孔は形成されていない。ただし、頂壁２１３には、電源用と調光用等の電気配線（いずれも図示せず）を筐体２１０の外部から内部に引き込むための開口（図示せず）が形成されている。
【０１１１】
筐体２１０は、室内の天井９の裏に設置される。開口部２１４が室内の床面つまり鉛直下方に面するように、筐体２１０は天井９に設置される。筐体２１０の頂壁２１３に形成された図示しない開口を通じて、電源用と調光用等の電気配線（いずれも図示せず）が、筐体２１０の外部から内部に引き込まれる。配線の端子は、筐体２１０の天面２１０ａに取り付けられる。光源部１が取り付けられたフレーム３は、開口部２１４を覆うように、筐体２１０に取り付けられる。
【０１１２】
施工者は、筐体２１０に光源部１が取り付けられる場合に、各板バネ５０の先端部５６を開口２１１ａ，２１２ａに引っ掛けることによって、筐体２１０に光源部１を支持させる。図１３に示すように、光源部１が筐体２１０に支持された状態においては、筐体２１０の開口部２１４と光源部１の上端との間に隙間が形成されるため、施工者は、この隙間から筐体２１０の内部の空間に手を入れることによって、各配線等の接続を実施することができる。
【０１１３】
なお、図示されていないが、施工者は、側壁２１１と側壁２１２とのうち、いずれかの開口（つまり、開口２１１ａまたは開口２１２ａ）に、板バネ５０の先端部５６を引っ掛けるように、光源部１の幅方向の片方のみの板バネ５０を筐体２１０に支持させることによって、各配線の接続等を実施することができる。
【０１１４】
各配線等の接続が完了した後には、フレーム３および光源部１を上方に移動させることによって、板バネ５０の先端部５６の上面が開口２１１ａ，２１２ａの上縁に接触しながら板バネ５０が開口２１１ａ，２１２ａから離れる。施工者が光源部１をさらに上方に持ち上げることによって、板バネ５０の先端５６ａが側壁２１１，２１２に接触しながら光源部１が上方に移動する。これにより、光源部１が開口部２１４から筐体２１０の内部の空間に移動する。
【０１１５】
板バネ５０が開口２１１ａ，２１２ａから離れた後に施工者が光源部１をさらに上方に移動させる場合には、板バネ５０の上端５０ａが天面２１０ａに接触する。また、光源部１が上方に移動するにしたがって、板バネ５０の屈曲部５４が側壁２１１，２１２に接触する。このとき、板バネ５０のバネ力によって、側壁２１１，２１２を先端５６ａが押す力が板バネ５０に発生する。
【０１１６】
図１５は、板バネ５０が筐体２１０の頂壁２１３に接触する状態を概略的に示す図である。屈曲部５４が側壁２１１，２１２に接触し、且つ、板バネ５０の上端５０ａが天面１１０ａに接触する状態において、バネ力に勝る力で施工者が光源部１を上方に移動させることによって、基部５ａに対してスライド部５ｂが移動する。これにより、延在部５５の長さが縮小しながら光源部１が上方に移動する。
【０１１７】
図１６は、板バネ５０の屈曲部５４が開口２１１ａ，２１２ａに嵌め込まれることによって、光源部１が筐体２１０に収容された状態を概略的に示す図である。図１６に示すように、施工者が、フレーム３の縁の上面３ａが筐体２１０の縁の下面２１０ｂに接触する位置にまで光源部１を上方に移動させることによって、光源部１が筐体２１０の内部の空間に収容される。
【０１１８】
光源部１が筐体２１０の内部の空間に収容された状態において、屈曲部５４は、光源部１が筐体２１０に支持されるように筐体２１０の開口２１１ａ，２１２ａに嵌められる。言い換えると、屈曲部５４が筐体２１０の開口２１１ａ，２１２ａに嵌められることによって、光源部１が筐体２１０に支持されたうえで、光源部１が筐体２１０に収容される。このようにして、光源部１は、開口部２１４から筐体２１０の内部の空間に移動することによって、筐体２１０に収容される。筐体２１０に光源部１が収容された状態において、各板バネ５０の先端部５６は、筐体２１０の側壁２１１および側壁２１２の内側に配置される。また、筐体２１０に光源部１が収容された状態において、板バネ５０の上端５０ａは、頂壁２１３に接触する。
【０１１９】
以上のように構成された第３実施形態の照明装置３００は、天井９の裏の障害物に影響されないように、天井９に確実に設置することができる。
【０１２０】
照明装置３００において、筐体２１０は、頂壁２１３と開口部２１４とを有している。頂壁２１３は、一方側の側壁２１１と他方側の側壁２１２とを接続する。開口部２１４は、頂壁２１３と対向する位置に形成されている。板バネ５０は、延在部５５を有する。延在部５５は、先端部５６と屈曲部５４との間の部分を形成する。板バネ５０において、延在部５５は、延在部５５の長さを調整することが可能であるように構成されている。筐体２１０に光源部１が収容された状態において、板バネ５０の先端部５６は頂壁２１３に接触する。
【０１２１】
この構成によれば、開口部２１４から筐体２１０の内部に向かって、板バネ５０が固定された光源部１が移動することによって、光源部１が筐体２１０に収容される。また、光源部１が筐体２１０に支持される場合には、光源部１に掛かる重力等によって板バネ５０の延在部５５の長さを延長させることによって、筐体２１０と光源部１との間の隙間を拡大することができる。そのため、この構成によれば、光源部１が筐体２１０に支持された状態における作業性を向上させることができる。一方、光源部１が筐体２１０に収容される場合には、板バネ５０の先端部５６が頂壁２１３に接触することによって、板バネ５０の延在部５５の長さを縮小することができる。このように、この構成によれば、筐体２１０を小型化し、且つ、照明装置３００を小型化することができる。
【０１２２】
なお、照明装置３００に用いられる各板バネは、図１４に示す板バネ５０に限定されない。図１７には、板バネ５０の変形例の板バネ６０を示す。また、図１８には、板バネ５０の別の変形例の板バネ７０を示す。
【０１２３】
図１７は、照明装置３００に用いられる板バネ６０の斜視図であって、板バネ６０の基部６ａと対向する面から板バネ６０を見た図と、板バネ６０のスライド部６ｂと対向する面から板バネ６０を見た図とを示す。図１７に示すように、板バネ６０は、ステンレス鋼等の金属性の板材に切削加工または打ち出し加工と、折り曲げ加工とを施すことによって成形された基部６ａと、所定の形状に切り出された板材に折り曲げ加工を施すことによって成形されたスライド部６ｂとを含む。
【０１２４】
板バネ６０は、固定部と下延部と折り返し部と上延部と屈曲部（いずれも図示せず）と延在部６５と先端部６６とを有している。なお、基部６ａにおける固定部から延在部６５ａに至る構成は、板バネ５０（図１４参照）における固定部５１から延在部５５に至る構成および板バネ２０（図２参照）における固定部２１から延在部２５に至る構成と同様である。
【０１２５】
基部６ａにおける延在部６５ａの中央部には、延在部６５ａが延びる方向に沿って、開口６ｃが形成されている。
【０１２６】
スライド部６ｂは、延在部６５ｂと先端部６６とを含む。板バネ６０の延在部６５は、基部６ａにおける延在部６５ａと、スライド部６ｂにおける先端部６６よりも下方の部分の延在部６５ｂとを含むように、基部６ａとスライド部６ｂとによって構成される。延在部６５ｂに対して、図示しない屈曲部が突出する側に向かって先端部６６が突出するように、スライド部６ｂの端部が折り曲げられることによって、先端部６６が形成される。なお、延在部６５ｂと先端部６６との境目を形成するスライド部６ｂの折り目の部分は、板バネ６０の上端６０ａである。
【０１２７】
スライド部６ｂの腕部６ｄが基部６ａの開口６ｃの縁に巻きつくように、スライド部６ｂが基部６ａに取り付けられる。基部６ａの平面とスライド部６ｂの平面とが略同一方向に延びるように、基部６ａとスライド部６ｂとが合体する。基部６ａの開口６ｃの縁に沿ってスライド部６ｂの腕部６ｄが摺動することによって、延在部６５の長さが変化する。
【０１２８】
このようにして、板バネ６０において、延在部６５は、延在部６５の長さを調整することが可能であるように構成されている。なお、板バネ６０を製造する方法は、上述のものに限定されず、図１７に図示されるような形状を有する板バネ６０を製造する方法であればよい。
【０１２９】
図１８は、照明装置３００に用いられる板バネ７０の斜視図であって、板バネ７０の基部７ａと対向する面から板バネ７０を見た図と、板バネ７０のスライド部７ｂと対向する面から板バネ７０を見た図とを示す。図１８に示すように、板バネ７０は、ステンレス鋼等の金属性の板材に切削加工または打ち出し加工と、折り曲げ加工とを施すことによって成形された基部７ａと、所定の形状に切り出された板材に折り曲げ加工を施すことによって成形されたスライド部７ｂとを含む。
【０１３０】
板バネ７０は、固定部と下延部と折り返し部と上延部と屈曲部（いずれも図示せず）と延在部７５と先端部７６とを有している。なお、基部７ａにおける固定部から延在部７５ａに至る構成は、板バネ５０（図１４参照）における固定部５１から延在部５５に至る構成および板バネ２０（図２参照）における固定部２１から延在部２５に至る構成と同様である。
【０１３１】
基部７ａにおける延在部７５ａの中央部には、延在部７５ａが延びる方向に沿って、開口７ｃが形成されている。一方、スライド部７ｂは、延在部７５ｂと先端部７６とを含む。板バネ７０の延在部７５は、基部７ａにおける延在部７５ａと、スライド部７ｂにおける先端部７６よりも下方の部分の延在部７５ｂとを含むように、基部７ａとスライド部７ｂとによって構成される。延在部７５ｂに対して、図示しない屈曲部が突出する側に向かって先端部７６が突出するように、スライド部７ｂの端部が折り曲げられることによって、先端部７６が形成される。なお、延在部７５ｂと先端部７６との境目を形成するスライド部７ｂの折り目の部分は、板バネ７０の上端７０ａである。
【０１３２】
スライド部７ｂにおける延在部７５を形成する平面および先端部７６が、基部７ａの開口７ｃを貫通するように開口７ｃに挿入される。また、スライド部７ｂの腕部７ｄが基部７ａにおける延在部７５に巻きつくように、スライド部７ｂが基部７ａに取り付けられる。基部７ａの平面とスライド部７ｂの平面とが略同一方向に延びるように、基部７ａとスライド部７ｂとが合体する。
【０１３３】
基部７ａの開口７ｃに沿ってスライド部７ｂにおける延在部７５が摺動し、且つ、開口７ｃの縁に沿って腕部７ｄが摺動することによって、延在部７５の長さが変化する。このようにして、板バネ７０において、延在部７５は、延在部７５の長さを調整することが可能であるように構成されている。なお、板バネ７０を製造する方法は、上述のものに限定されず、図１８に図示されるような形状を有する板バネ７０を製造する方法であればよい。
【０１３４】
なお、照明装置３００において、一対の板バネ５０，６０，７０は、フレーム３の長手方向に沿って、それぞれ異なる位置に固定されていてもよい。
【０１３５】
なお、本発明に従った照明装置に用いられる板バネは、以下に説明するように、ヒンジ部を有していてもよい。照明装置１００，２００，２００ａ，２００ｂ，３００のうち、照明装置１００，２００，２００ａ，２００ｂに用いられる板バネ２０（図２参照）の変形例の斜視図を図１９に示す。図１９は、板バネ８０のヒンジ部８７が閉じられた状態を示す図である。
【０１３６】
板バネ８０は、ステンレス鋼等の金属性の二つの板材に折り曲げ加工を施すことによって成形される。図１９に示すように、板バネ８０は、固定部８１と、先端部８６と、屈曲部８４とを有している。固定部８１は、平板形状を有している。板バネ８０において固定部８１がフレームケース２（図３参照）に固定されることによって、板バネ８０が光源部１（図３参照）に固定される。
【０１３７】
一方の板材において、固定部８１に連続するように、下延部８２が固定部８１から折り曲げられている。下延部８２は、固定部８１の平面が延びる方向と略直交する平面を有する。
【０１３８】
他方の板材において、平面の部分が延在部８５として構成される。先端部８６は、他方の板材の一端部が、延在部８５に対して折り曲げられることによって形成される。また、屈曲部８４は、他方の板材の他端部が、延在部８５に対して折り曲げられることによって形成される。他方の板材の平面が延びる方向に対して、先端部８６と屈曲部８４とが同一の側に突出する。
【０１３９】
ヒンジ部８７は、固定部８１および下延部８２を含む一方の板材と、屈曲部８４と延在部８５と先端部８６とを含む他方の板材との間に位置する。一方の板材における下延部８２の下端部と、他方の板材における他端部とにおいて、ヒンジ部８７が構成されている。図２０は、板バネ８０のヒンジ部８７が開かれた状態を示す図である。図１９と図２０とを参照するように、ヒンジ部８７は、屈曲部８４と固定部８１とが離れる方向に、屈曲部８４を含む他方の板材を固定部８１および下延部８２に対して回転させる。
【０１４０】
このように、板バネ８０は、屈曲部８４と固定部８１との間に配置され、且つ、屈曲部８４と固定部８１とが離れる方向に屈曲部８４を固定部８１に対して回転させるヒンジ部８７を有する。
【０１４１】
板バネ８０の構成によれば、一対の板バネ８０のうちの片方の先端部８６が筐体１０（図３参照）の被係止部に引っ掛けられることによって光源部１（図３参照）が筐体１０に支持された状態において、屈曲部８４と固定部８１との間の部分を変形させる重力が、屈曲部８４と固定部８１との間の部分に集中することを防ぐことができる。このように、板バネ８０によれば、板バネ８０における屈曲部８４と固定部８１との間の部分の損傷を防止することができる。
【０１４２】
なお、照明装置１００，２００，２００ａ，２００ｂ，３００のうち、照明装置１００に用いられる板バネ３０，４０がヒンジ部を有するように構成されていてもよく、照明装置３００に用いられる板バネ５０，６０，７０がヒンジ部を有するように構成されていてもよい。
【０１４３】
なお、本発明に従った照明装置に用いられる板バネは、以下に説明するように、光源部１のフレームケース２の側面に固定されていてもよい。図２１には、照明装置１００，２００，２００ａ，２００ｂ，３００のうち、照明装置１００，２００，２００ａ，２００ｂに用いられる板バネ２０（図２参照）の変形例である板バネ９１を示す。図２１は、本発明に従った照明装置の光源部１の一部および板バネ９１の概略図である。
【０１４４】
板バネ９１は、ステンレス鋼等の金属性の板材に折り曲げ加工を施すことによって成形される。図２１に示すように、板バネ９１は、固定部９１ａと上延部９１ｂと屈曲部９１ｃと延在部９１ｄと先端部９１ｅとを有している。固定部９１ａは、平板形状を有している。固定部９１ａに連続するように、上延部９１ｂが固定部９１ａから折り曲げられている。固定部９１ａと上延部９１ｂとが対向するように、上記板材が略Ｕ字状に折り曲げられる。
【０１４５】
上延部９１ｂは、屈曲部９１ｃに連続する。屈曲部９１ｃは、さらに延在部９１ｄに連続する。屈曲部９１ｃは、上延部９１ｂの平面が延びる方向と延在部９１ｄの平面が延びる方向とが略平行な方向であるように、上延部９１ｂと延在部９１ｄとの間において上記板材が略Ｕ字状に折り曲げられた部分である。屈曲部９１ｃは、上延部９１ｂの平面が延びる方向に対して、固定部９１ａの反対側に突出している。
【０１４６】
延在部９１ｄは、先端部９１ｅに連続する。延在部９１ｄに対して、屈曲部９１ｃが突出する側に向かって先端部９１ｅが突出するように、上記板材の端部が折り曲げられることによって、先端部９１ｅが形成される。
【０１４７】
板バネ９１において固定部９１ａがフレームケース２の側面に固定されることによって、板バネ９１が光源部１に固定される。板バネ９１の固定部９１ａとフレームケース２との固定には、ネジもしくはボルト等の固定具５が用いられる。なお、図示されていないが、固定部９１ａとフレームケース２との間に介在する板部材が、フレームケース２の側面に取り付けられていてもよい。
【０１４８】
なお、照明装置１００，２００，２００ａ，２００ｂ，３００のうち、照明装置１００に用いられる板バネ３０（図６参照）と板バネ４０（図７参照）との固定部３１，４１から下延部３２，４２に至る部分が、板バネ９１の固定部９１ａのように構成されていてもよい。また、照明装置３００に用いられる板バネ５０，６０，７０（それぞれ図１４，１７，１８参照）の固定部から下延部に至る部分が、板バネ９１の固定部９１ａのように構成されていてもよい。
【０１４９】
なお、図１９に示す板バネ８０のヒンジ部８７のように、板バネ９１において、固定部９１ａと屈曲部９１ｃとの間にはヒンジ部が形成されていてもよい。
【０１５０】
図２２には、照明装置１００，２００，２００ａ，２００ｂ，３００のうち、照明装置１００，２００，２００ａ，２００ｂに用いられる板バネ２０（図２参照）の変形例である板バネ９２を示す。図２２は、本発明に従った照明装置の光源部１の一部および板バネ９２の概略図である。
【０１５１】
板バネ９２は、ステンレス鋼等の金属性の板材に折り曲げ加工を施すことによって成形される。図２２に示すように、板バネ９２は、固定部９２ａと屈曲部９２ｂと延在部９２ｃと先端部９２ｄとを有している。固定部９２ａは、平板形状を有している。固定部９２ａは、屈曲部９２ｂに連続する。屈曲部９２ｂは、さらに延在部９２ｃに連続する。屈曲部９２ｂは、固定部９２ａの平面が延びる方向と延在部９２ｃの平面が延びる方向とが略平行な方向であるように、固定部９２ａと延在部９２ｃとの間において上記板材が略Ｕ字状に折り曲げられた部分である。
【０１５２】
延在部９２ｃは、先端部９２ｄに連続する。延在部９２ｃに対して、屈曲部９２ｂが突出する側に向かって先端部９２ｄが突出するように、上記板材の端部が折り曲げられることによって、先端部９２ｄが形成される。
【０１５３】
板バネ９２において固定部９２ａがフレームケース２の側面に固定されることによって、板バネ９２が光源部１に固定される。板バネ９２の固定部９２ａとフレームケース２との固定には、ネジもしくはボルト等の固定具５が用いられる。なお、図示されていないが、固定部９２ａとフレームケース２との間に介在する板部材が、フレームケース２の側面に取り付けられていてもよい。
【０１５４】
なお、照明装置１００，２００，２００ａ，２００ｂ，３００のうち、照明装置１００に用いられる板バネ３０（図６参照）と板バネ４０（図７参照）との固定部３１，４１から上延部３３，４３に至る部分が、板バネ９２の固定部９２ａのように構成されていてもよい。また、照明装置３００に用いられる板バネ５０，６０，７０（それぞれ図１４，１７，１８参照）の固定部から上延部に至る部分（図１４参照）が、板バネ９２の固定部９２ａのように構成されていてもよい。
【０１５５】
なお、本発明に従った照明装置の筐体において、互いに対向する一方側の側壁または他方側の側壁には、以下に説明するように、別の被係止部が形成されていてもよい。
【０１５６】
図２３には、照明装置１００，２００，２００ａ，２００ｂ，３００のうち、照明装置１００，２００，２００ａ，２００ｂに用いられる板バネ２０（図２参照）の先端部２６が別の被係止部に引っ掛けられる例を示す。図２３は、本発明に従った照明装置の筐体の一部および板バネ２０の一部の概略図である。
【０１５７】
図２３に示すように、別の被係止部の一例としての被係止部１２ｂが側壁１２に形成されている。被係止部１２ｂは、側壁１２が延びる方向と交差する方向に延びる突起である。板バネ２０の先端部２６が被係止部１２ｂに引っ掛けられることによって、例えば照明装置１００の光源部１を筐体１０（いずれも図３参照）に支持することができる。つまり、被係止部１２ｂは、先端部２６が被係止部１２ｂに引っ掛けられることによって、例えば光源部１を筐体１０に支持するためものである。
【０１５８】
この構成によれば、照明装置１００を天井９（いずれも図３参照）に設置する施工者は、光源部１を筐体１０（いずれも図３参照）に支持させる場合に、取付孔１２ａ（図３参照）と被係止部１２ｂ（図２３参照）とのいずれかを用いることができる。そのため、この構成によれば、作業性が向上する。
【０１５９】
なお、例えば照明装置１００の筐体１０（いずれも図３参照）において、取付孔１２ａ（図３参照）よりも下方に被係止部１２ｂが位置する場合に、被係止部１２ｂに板バネ２０が引っ掛けられるときは、取付孔１２ａに板バネ２０が引っ掛けられるときに比べて、光源部１の上端と開口部１４（図３参照）との間の隙間が拡大するため、作業性がより向上するとともに、より確実に板バネ２０が引っ掛かることによって光源部１の姿勢が安定する。
【０１６０】
なお、例えば一方側の側壁１１（図３参照）に、先端部２６が引っ掛けられることによって光源部１を筐体１０（いずれも図３参照）に支持するための別の被係止部が形成されていてもよい。別の被係止部は、第２実施形態の照明装置２００，２００ａ，２００ｂの筐体１１０の側壁１１１または側壁１１２（いずれも図８参照）に形成されていてもよく、第３実施形態の照明装置３００の筐体２１０の側壁２１１または側壁２１２（いずれも図１３参照）に形成されていてもよい。
【０１６１】
なお、本発明に従った照明装置において、一対の板バネは、フレームの長手方向の両端部に固定されていてもよい。この場合において、一対の板バネは、フレームの幅方向に沿って、それぞれ異なる位置に固定されていてもよい。
【０１６２】
なお、本発明に従った照明装置において、光源部が固定されるフレームの形状と、筐体の形状とは、特に限定されない。本発明に従った照明装置において、光源部が固定されるフレームの上面と、筐体の頂壁とは、例えば略正方形状を有していてもよい。
【０１６３】
本発明に従った照明装置においては、通常、二対（計４枚）の板バネが使用されることによって筐体に対する光源部の支持を安定させることができる。ただし、光源部を含む当該照明装置の大きさまたは重量等に応じて、三対以上の板バネが使用されていてもよい。
【０１６４】
本発明に従った照明装置において、光源は発光ダイオードであることに限定されず、光源はＥＬ（エレクトロルミネッセンス）であってもよく、蛍光灯もしくは電球であってもよい。
【０１６５】
本発明に従った照明装置は、スクウェア形状のものに限定されず、円柱形状等の他の形状の筐体を有するダウンライト等であってもよい。
【０１６６】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１６７】
１：光源部、１０，１１０，２１０：筐体、１１，１１１，２１１：側壁、１２，１１２，２１２：側壁、１１ａ，１１１ａ，２１１ａ：取付孔、１２ａ，１１２ａ，２１２ａ：取付孔、１２ｂ：被係止部、１３，１１３，１１３ａ，１１３ｂ，２１３：頂壁、１４，１１４，２１４：開口部、１５，１６：斜面壁、１１５，１１６：挿通部、２０，３０，４０，５０，６０，７０，８０，９１，９２：板バネ、２１，３１，４１，５１，８１，９１ａ，９２ａ：固定部、２５，３５，４５，５５，８５，９１ｄ，９２ｃ：延在部、３５ａ：湾曲部、４５ａ：ワイヤ部、２６，３６，４６，５６，６６，７６，８６，９１ｅ，９２ｄ：先端部、２４，３４，４４，５４，８４，９１ｃ，９２ｂ：屈曲部、８７：ヒンジ部、１００，２００，２００ａ，２００ｂ，３００：照明装置
【図１】
2014072136.tif 000003
【図２】
2014072136.tif 000004
【図３】
2014072136.tif 000005
【図４】
2014072136.tif 000006
【図５】
2014072136.tif 000007
【図６】
2014072136.tif 000008
【図７】
2014072136.tif 000009
【図８】
2014072136.tif 000010
【図９】
2014072136.tif 000011
【図１０】
2014072136.tif 000012
【図１１】
2014072136.tif 000013
【図１２】
2014072136.tif 000014
【図１３】
2014072136.tif 000015
【図１４】
2014072136.tif 000016
【図１５】
2014072136.tif 000017
【図１６】
2014072136.tif 000018
【図１７】
2014072136.tif 000019
【図１８】
2014072136.tif 000020
【図１９】
2014072136.tif 000021
【図２０】
2014072136.tif 000022
【図２１】
2014072136.tif 000023
【図２２】
2014072136.tif 000024
【図２３】
2014072136.tif 000025